(57)【要約】【課題】  この発明は、人が寝た状態で、後頚部を下方から上方向へ押上げて、頚前部を上向きに反らせて湾曲させ、前頸部の皮膚を頭頂方向へ引張させる、頭部筋膜活性器を提供することを目的としている。【解決手段】  頭部を載置する基体２の前部に頭置部３が形成され、その後部に頚台部４が立設され、頚台部４に頚を乗せ、頭置部３に頭を乗せた時に、後頚部を高くして頭頂部を低く傾斜させるように構成された、頭部筋膜活性器１。【選択図】    図１
2005211112.tif 000002
【特許請求の範囲】
【請求項１】
頭部を載置する基体の前部に頭置部が形成され、その後部に頚台部が立設され、後頚部を頚台部に乗せ、頭置部に頭を乗せた時に、後頚部を高くして頭頂部を低く傾斜させるように構成されたことを特徴とする、頭部筋膜活性器。
【請求項２】
前記頚台部は、高さ調節可能に構成されたことを特徴とする、請求項１に記載された頭部筋膜活性器。
【請求項３】
前記頭置部は、その後部が弾性湾曲可能に形成され、頭置部に頭を乗せた時に頭置部の前部が、頭の重量によって傾斜可能に構成されたことを特徴とする、請求項１．２のいずれかに記載された頭部筋膜活性器。
【請求項４】
前記頭置部に、両側部から先端部にかけて、立上部が形成されていることを特徴とする、請求項１〜３のいずれかに記載された頭部筋膜活性器。  
【請求項５】
頭部を載置する基体の前部に、頭置部が形成され、その後部に頚台部が立設され、頭置部には両側部から前部にかけて立上部が形成され、該立上部の両側部に着顔布が装着されて、頭置部に頭を上向きに乗せたとき、着顔布の自由端部を頬に接着出来るように構成されていることを特徴とする、頭部筋膜活性器。
【請求項６】
前記着顔布は、伸縮布の下面に粘着剤が塗着されていることを特徴とする、請求項５に記載された頭部筋膜活性器。
【請求項７】
前記着顔布は、平面では手の形に形成されて、指先方向を自由端部としていることを特徴とする、請求項５、６のいずれかに記載された頭部筋膜活性器。
【発明の詳細な説明】
【技術分野】
【０００１】
本発明は、頭部筋膜活性器に係り、特に、後頚部を前頸部方向へ押して、頚を後反りに湾曲させ、前頸部の皮膚を頭頂方向へ引張させる頭部筋膜活性器に関する。
人は老化と共に、頚部の筋肉が弱り、軟骨が弱化する事から、頸骨が傾斜し、頚の痛み、腕のしびれ等が生じる。また頚後部の皮膚がたるみ、顔の皮膚がたるんで皺が生じる。
【背景技術】
【０００２】
従来、体操においては、頭を前後に振って、頚部を屈伸させる事が行われている。静止的に頚を後方へ反らせ、器具は見られない。  
【発明の開示】
【発明が解決しようとする課題】
【０００３】
体操においては、頭を前後に振って頚部を屈伸させたとしても、時間的には短かく、一定の時間に、首筋の一定の引伸ばし幅を維持する事は困難であった。
また顔面の皮膚は、老化と共に下方へ垂れ下って来るが、これを上方へ移動させる事は困難である。
この発明は、それら頭部の筋肉や皮膚の改善をするための、頭部筋膜活性器を、提供することを目的としている。
【課題を解決するための手段】
【０００４】
この発明は、前記課題を解決し目的を達成するために、頭置部の後部に頚台部を形成して、頭置部に頭を乗せ、頚台部に頚を乗せることにより、頚前部を反らせるようにした。
発明の具体的な内容は次の通りである。
【０００５】
(1)  頭部を載置する基体の前部に、頭置部が形成され、その後部に頚台部が立設され、後頚部を頚台部に乗せせ、頭置部に頭を乗せた時に、後頚部を高くして頭頂部を低く傾斜させるように構成された、頭部筋膜活性器。
【０００６】
(2)  前記頚台部は、高さ調節可能に構成された、前記(1)に記載された頭部筋膜活性器。
【０００７】
(3)  前記頭置部は、その後部が弾性湾曲可能に形成され、頭置部に頭を乗せた時に頭置部の前部が、頭の重量によって傾斜可能に構成された、前記(1)(2)のいずれかに記載された頭部筋膜活性器。  
【０００８】
(4)  前記頭置部に、両側部から先端部にかけて、立上部が形成されている、前記(1)〜(3)のいずれかに記載された頭部筋膜活性器。  
【０００９】
(5)  頭部を載置する基体の前部に、頭置部が形成され、その後部に頚台部が立設され、頭置部には、両側部から前部にかけて立上部が形成され、該立上部の両側部に着顔布が装着されて、頭置部に頭を上向きに乗せたとき、着顔布の自由端部を頬に接着出来るように構成されている、頭部筋膜活性器。
【００１０】
(6)  前記着顔布は、伸縮布に粘着剤が塗着されている、前記(5)に記載された頭部筋膜活性器。
【００１１】
(7)  前記着顔布は、平面で手の形に形成されて、指先方向を自由端部としている、前記(5)(6)のいずれかに記載された、頭部筋膜活性器。  
【発明の効果】
【００１２】
本発明によると次のような効果がある。  
【００１３】
(1)  請求項１に記載された発明の頭部筋膜活性器は、頭置部に頭を乗せて、頚台部に頚を乗せることによって、頭頂部を低く傾斜させて、頚を高く維持することが出来るため、頚前部の筋膜を引伸ばすことができ、頚前部の筋膜を活性化させることができる。
頚後部は頚台部に押されるので指圧状の効果が得られる。これにより、首筋から頭部へかけてリンパ液流や血流が活性化されて、首筋から顔面にかけての皮膚の老化抑止、脳に対する新陳代謝促進を助長する。
【００１４】
(2)  請求項２に記載された発明の頭部筋膜活性器は、頚を乗せる頚台部の高さが調節可能に構成されているので、頚の高さを調節して、頭の傾斜角度を任意に変更させることが出来る。
【００１５】
(3)  請求項３に記載された発明の頭部筋膜活性器は、頭置部が弾力性があって、頭置部に頭を乗せた時に、頭の重みで曲がるので、自動的に頭を傾斜させて頚前部を反らせることが出来る。
【００１６】
(4)  請求項４に記載された発明の頭部筋膜活性器は、頭置部に立上部が形成されているので、立上部に部材や器具を配設することができる。    
【００１７】
(5)  請求項５に記載された発明の頭部筋膜活性器は、頭置部に頭を置き、頚台部に頚を乗せて、立上部の着顔布の自由端部を頬に接着させることによって、頬の皮膚を頭の方に引張ることができて、その刺激で、顔の皮膚、筋膜が活性化される。
【００１８】
(6)  請求項６に記載された発明の頭部筋膜活性器は、着顔布が伸縮布に粘着剤が塗着されているものなので、引伸ばして自由端部を頬に貼付させることができて、頬の皮膚を着顔布で強く引くことができる。これによって、皮膚並びに筋膜に刺激が与えられ、リンパ液並びに血流が活性化されて、新陳代謝が促進され、皺が改善される。
【００１９】
(7)  請求項７に記載された発明の頭部筋膜活性器は、着顔布が手の形に形成されているので、凹凸している顔に無理なく貼着させることができる。
【発明を実施するための最良の形態】
【００２０】
頭部を載置する基体の、頭置部の後部に頚台部を突設すると共に、頚台部に頚を置き、頭置部に頭を乗せた時に、頭頂が低く傾斜するように構成する。
【実施例１】
【００２１】
本願発明の実施の形態例を、図面を参照して説明する。図１は本発明に係る第１実施例を示す頭部筋膜活性器の側面図、図２は第２実施例を示す頭部筋膜活性器の側面図、図３は第３実施例を示す頭部筋膜活性器の側面図。第４図は、第４実施例を示す頭部筋膜活性器の側面図である。
【００２２】
頭部筋膜活性器(1)は、縦長な基体(2)の前部に頭置部(3)が形成され、頭置部(3)の後部に、高い頚台部(4)が形成されている。
頭置部(3)は、側面で中央部が下に湾曲し、頭置部(3)の下の台部(5)によって、頭置部(3)の高さは高く配置されている。
頚台部(4)の上面には、凹凸を形成することができる。また頚台部(4)をローラ状にすることができる。
【００２３】
この頭部筋膜活性器(1)の、頭置部(3)に頭を乗せて、頚台部(4)に頚後部を当て、上向きに寝ると、図１に示すように、頭部は頭置部(3)に収まり、頭頂は下向きに傾斜する。
これによって、頚の前部は、上方に反り上げられて、引伸ばされることになる。また頚の後部は頚台部(4)によって圧迫されて、指圧のような効果が得られる。
【００２４】
体操をしても、頚の前部を伸ばすことは機会が少ないが、この頭部筋膜活性器(1)を使用することによって、頚前部の筋膜を引伸ばすことができる。例えば１０分おきに継続することによって、頚前部の筋膜を引延ばして活性化することができ、頚後部は指圧のような効果が得られて、筋膜が活性化される。
【００２５】
頚前部の筋膜の引伸ばしにより、その部分の血流が活発化する。そのことによって、新陳代謝が活発化して、老廃物を送り出し、栄養分が集まることによって、その部分の筋肉ないし筋膜及び皮膚が若返り、頚の皺が減少し、老化が抑制される。血流の活発化によって、頚骨における軟骨も新陳代謝により老化が抑止される。
【００２６】
また、図１の状態で頭頂が低くなり、喉部が高くなると、舌根が下って、喉部での空気の通りがよくなる。それによって、いびきが生じなくなるので、いびき防止の枕として使用することができる。
【実施例２】
【００２７】
図２は第２実施例を示す、頭部筋膜活性器(1)の側面図である。前例と同じ部位には、同じ符号を付して説明を省略する。
この第２実施例は、頚台部(4)に高さ調節具(6)が装着されたことに特徴がある。
【００２８】
頚台部(4)の高さ調節具(6) は、台部(6a)の下に軸部(6b)が垂直に形成され、軸部(6b)の下部は、ネジが螺刻形成されていて、基部(6c)が螺着されている。基部(6c)を回転させることによって、軸部(6b)が昇降して、台部(6a)の高さを調節することができる。
【実施例３】
【００２９】
図３は、第３実施例を示す、頭部筋膜活性器(1)の側面図である。前例と同じ部位には、同じ符号を付して説明を省略する。
この第３実施例は、側面において、頚台部(4)の前部が弾性湾曲可能に形成されて、頭置部(3)に頭を乗せると、頭の重量によって湾曲して、頭置部(3)の先端部が低く下るように構成されている。
【００３０】
この構成からなる、この第３実施例の頭部筋膜活性器(1)は、この頭置部(3)の上に頭を載せて、上向きに寝ると、頭の重量によって、頚台部(4)が湾曲して頭置部(3)が下るので、結果として、頚の前部が上に反って引伸ばされることになる。また頚台部(4)の弾力を利用して、頭を上げ下げすることによって、頚の運動をすることができる。  
【実施例４】
【００３１】
図４は第４実施例を示す、頭部筋膜活性器(1)の側面図である。前例と同じ部位には同じ符号を付して説明を省略する。
この第４実施例は、頭部筋膜活性器(1)の頭置部(3)に、立上部(7)を、両側部から頭頂方へかけて形成したものである。
【００３２】
この第４実施例においては、図５に示すように、立上部(7)の両側部から、頬にかけて、伸縮する粘着テープからなる着顔布(8)を、貼付することができる。
粘着テープの粘着剤は、例えば粘着性水性ゲルなどを使用することができる。
【００３３】
すなわち、図５において、伸縮粘着テープからなる着顔布(8)を伸ばして、基端部を立上部(7)の側部に貼着し、自由端部を頬に貼着させると、両頬の皮膚は頭頂の方へ斜めに引張される。
【００３４】
これによって、顎の付近の皮膚も、着顔布(8)によって頭の方へ引張られるので、皮膚並びにその下部の筋膜に刺激が与えられて、リンパ液流、血流が活発化され、頬並びに顎付近の皮膚のたるみが改善される。
【００３５】
頭部筋膜活性器(1)が、図３に示すような、頚台部(4)に弾力のあるもので、頭置部(3)の先端部が下るものでは、粘着テープ(8)が伸縮しないものであっても、頭の重量で頭置部(3)の先端部がさがると、頚の位置が同じ高さなので、立上部(7)が傾斜する違差で頬の皮膚が引張られる。
【実施例５】
【００３６】
図６は第５実施例を示す、頭部筋膜活性器(1)の側面図である。前例と同じ部位には、同じ符号を付して説明を省略する。
この第５実施例は、基台(2)の下の台部(5)を、椅子(9)に掛けられるようにしたものである。これによって、椅子(9)に座ったままで、頭置部(3)に頭を寄り掛けることができる。
【００３７】
また着顔布(8)は、手の形に設定されて、基端部を立上部(7)に固定して、指状の自由端部を顔に貼着するように設定されている。これは顔の形に凹凸があり、面積が広いので、自由端部が指状に分かれている方が、顔の凹凸に倣って貼り易い。
また指状の細布を、それぞれの位置に合せて引き伸ばして貼ると、各指状の細布の貼付されたその位置の、皮膚の引張具合を細布個々で変化させることが出来る。
【００３８】
なおこの発明は、前記実施例に限定されるものではなく、目的に沿って適宜設計変更をすることができる。      
例えば、頚台部(4)の下部などに、バイブレーションを配設することができる。また頚台部(4)の下に、保温保冷具を配設することができる。
【産業上の利用可能性】
【００３９】
この発明は、頭部筋膜活性器の頚台部を、高くして頚を乗せることによって、頚前部を反らせておくことができ、頚前部の筋肉や皮膚が引き伸ばされるので、頚の筋膜や皮膚を活性化させることができる。同時に頭部や顔部への血行が活性化される。  
【図面の簡単な説明】
【００４０】
【図１】本発明に係る第１実施例を示す頭部筋膜活性器の側面図である。
【図２】本発明に係る第２実施例を示す頭部筋膜活性器の側面図である。
【図３】本発明に係る第３実施例を示す頭部筋膜活性器の側面図である。
【図４】本発明に係る第４実施例を示す頭部筋膜活性器の側面図である。
【図５】本発明に係る第４実施例を示す頭部筋膜活性器の使用状態側面図である。
【図６】本発明に係る第５実施例を示す頭部筋膜活性器の側面図である。
【符号の説明】
【００４１】
(1)頭部筋膜活性器
(2)基体
(3)頭置部
(4)頚台部
(5)台部
(6)高さ調節具
(6a)台部
(6b)軸部
(6c)基部
(7)立上部
(8)着顔布
(9)椅子
【図１】
2005211112.tif 000003
【図２】
2005211112.tif 000004
【図３】
2005211112.tif 000005
【図４】
2005211112.tif 000006
【図５】
2005211112.tif 000007
【図６】
2005211112.tif 000008